(57)【要約】      （修正有）【課題】棒磁石を振子のおもりとして、これを発電用コイル内で、出し入れすることにより電磁誘導を発生させ発電する発電機（発電装置）で、資源を節約し、地球環境を守る観点から、石油石炭等の資源を使わない発電装置の開発、実用化を目指すものである。【解決手段】振子である棒磁石は、空気抵抗と、軸となるクエスチョンねじと紐の接点での摩擦により、振子の運動は減殺される。この減殺分は、人の力により（棒磁石を手で押してあげることにより）充分カバーできるものと考える。振子のおもりとなる棒磁石は磁力が強力なものを用いる。振子の運動を活発化させるため、棒磁石の重さ、振子の紐の長さに工夫し、発電用コイルの巻数は多くする。この発電機（又は発電装置）に蓄電器（蓄電装置）を併用することにより、実用化することも一つの方法とも考える。【選択図】図１
0003103237.tif 000002
【実用新案登録請求の範囲】
【請求項１】
発電機（又は発電装置）で発電させるための電磁誘導を起こすために使用される磁石の運動を振子の原理によって行なう発電機（又は発電装置）であること。
【考案の詳細な説明】
【考案の詳細な説明】
この考案は、発電のためのエネルギーを振子の原理に依ったものである。振子は一定の周期を以って、一定点あるいは一定軸のまわりを運動する物体であること、又、慣性の働きによって、一度動きだしたらいつまでも動き続けるということに着目し、（１）プラスティックの筒（円柱形）にエナメル線を何回も巻いたもの（発電用コイル）を床に固定し、（２）この筒の中を出し入れするための棒磁石を挿入し、（３）棒磁石の両端（Ｎ極とＳ極）それぞれに綿製の紐を結ぶ。（紐の長さは棒磁石の２倍位）（４）天井にクエスチョンネジを取付ける。（５）棒磁石に取付けた紐の中心をクエスチョンねじに掛ける。（６）棒磁石を、最初は人の力によって発電用コイルの中を出たり入ったりする振子の運動を起させる。（７）以後、棒磁石は振子の原理に従って、同じ間隔で行ったり来たりして振れる。（８）棒磁石が発電用コイルの中を出し入れしたことにより、電磁誘導が生じ、発電用コイルに電流が流れる。（９）動き出した棒磁石は、いつまでも同じ動きをしようとする慣性の働きによって、同じ運動をしつづける。（１０）従って、振子となった棒磁石は、他に止めようとする力を加えないかぎり、いつまでも動き続けると考えられる。（１１）棒磁石が動いている間は、発電用コイルに電流が流れ、発電を続ける。〔本考案の効果〕本考案は、発電のためのエネルギーに資源を一切使用していないため、発電のための燃料コストは皆無であり、風力発電の様に、気象条件に影響されることはなく、屋内装置であるため、設置場所に制限が少なく、更に一たん稼動すれば、停止させるための力を働かせなければ、永遠に運動を続け、発電を続けるので、限りある地球資源を節約し、地球環境を守るクリーンなエネルギー源として活用が期待できると考える。
【図面の簡単な説明】
【図１】本案の斜視図
【図２】図１のうちの振子となる棒磁石の部分
【符号の説明】
▲１▼は発電用コイル（円柱形のプラスティックの筒にエナメル線をぐるぐる何回も巻いたもの）▲２▼は床（発電用コイルを床に取付けて固定する）▲３▼は天井（振子となる棒磁石を天井につるす）▲４▼は棒磁石をつるす紐▲５▼は天井に取付けたクエスチョンねじ0003103237.tif 000003
【図１】
0003103237.tif 000004
【図２】
0003103237.tif 000005
【手続補正書】
【提出日】平成15年9月26日(2003.9.26)
【手続補正１】
【補正対象書類名】明細書
【補正対象項目名】全文
【補正方法】変更
【補正の内容】
【考案の詳細な説明】
【０００１】振子の運動によって電磁誘導を起こさせて発電させる発電機（又は発電装置）
【技術分野】
【０００２】電気（発電機又は発電装置による発電）
【背景技術】
【０００３】火力発電、水力発電、原子力発電、風力発電等の発電原理
【考案の開示】
【考案が解決しようとする課題】
【０００４】従来型の火力発電は石油・石炭等の燃料資源を必要とし、燃料コストがかかる。又、これらの化石燃料資源は、地球上で限りある資源であり、地球の将来を展望した場合、無制限に使用すべきものではない。
又、石油・石炭等の燃料資源を使用する段階で、ＣＯ２発生による地球環境問題を有している。
原子力発電は核燃料を必要とし、放射能もれという問題を抱えている。水力発電については、ダム建設という莫大な費用と、環境破壊という問題を有して居り、又、発電のためのエネルギー源としての資源を使わないものとして▲１▼太陽光発電▲２▼風力発電▲３▼波力発電等が開発されているが、いずれも気象条件に影響される装置である。
【課題を解決するための手段】
【０００５】  そこで、本考案は発電のための燃料資源を使わず、燃料コストのいらない、低コストの発電装置として、発電のためのエネルギー源を振子の原理による発電機（又は発電装置）の実用化を目指すものである。
【考案の効果】
【０００６】  本考案は発電のためのエネルギーに資源を一切使用していないため、燃料コストは皆無であり、又、気象条件に影響されることはなく、屋内装置であるため、設置場所に制限がなく、地球資源を節約し、地球環境を守るクリーンなエネルギー源として、活用が期待できる。
【考案を実施するための最良の形態】
【０００７】
【実施例】
【０００８】この考案は、発電のためのエネルギーを振子の原理によったものである。
振子は一定の周期をもって、一定点あるいは一定軸のまわりを運動する物体であることに着目し、
（１）プラスティックの筒（円柱形）にエナメル線を何回も巻いたもの（発電用コイル）を床に固定し、
（２）この筒の中を出し入れするための棒磁石を挿入し、
（３）棒磁石の両端（Ｎ極とＳ極）それぞれに綿製の紐を結ぶ（紐の長さは、棒磁石の２倍位）
（４）天井にクエスチョンねじを取付ける。
（５）棒磁石に取付けた紐の中心をクエスチョンねじに掛ける。
（６）棒磁石を人の力によって発電用コイルの中を出たり入ったりする振子の運動を起こさせる。
（７）以後、棒磁石は振子の原理に従って、同じ間隔で、行ったり来たりして振れる。
（８）棒磁石が発電用コイルの中を出し入れしたことにより、電磁誘導が生じ、発電用コイルに電流が流れる。
（９）棒磁石が振子の運動をしている間は、発電が続くと考られる。
【図面の簡単な説明】
【０００９】
【図１】  本案の斜視図
【図２】  図１のうちの振子となる棒磁石の部分
【符号の説明】
▲１▼は発電用コイル（円柱形のフラスティックの筒にエナメル線を何回も巻いたもの）
▲２▼は床（発電用コイルを床に取付けて固定する）
▲３▼は天井（振子となる棒磁石を天井につるす）
▲４▼は棒磁石をつるす紐
▲５▼は天井に取付けたクエスチョンねじ
【手続補正書】
【提出日】平成15年12月4日(2003.12.4)
【手続補正１】
【補正対象書類名】実用新案登録請求の範囲
【補正対象項目名】全文
【補正方法】変更
【補正の内容】
【実用新案登録請求の範囲】
【請求項１】
発電用コイルの中を出し入れする棒磁石の両端を紐で結び、これを建物の天井に取付けたクエスチョンねじに掛け、最初は人の力で、棒磁石を動かせて振子運動を起こさせ、引続き、棒磁石が発電用コイルの中を振子の運動により出し入れすることにより電磁誘導を起こさせて発電させる発電機であること。
【手続補正書】
【提出日】平成16年2月19日(2004.2.19)
【手続補正１】
【補正対象書類名】実用新案登録請求の範囲
【補正対象項目名】全文
【補正方法】変更
【補正の内容】
【実用新案登録請求の範囲】
【請求項１】
発電用コイルの中を出し入れする棒磁石の両端を紐で結び、これを建物の天井に取り付けたクエスチヨンネジに掛け、最初は人の力で棒磁石を動かせて、振子運動を起こさせ、引続き棒磁石が発電用コイルの中を振子の運動により出し入れすることにより、電磁誘導を起こさせて発電させる発電機。